(57)【要約】【課題】電線を容易に誘導する間接活線工事用クリップを提供する。【解決手段】クリップ１０は、一対のクリップ本体１ａ・１ｂと連結部材２を備える。又、クリップ１０は、捩じりコイルばね３、複数のボールキャスター４、及び、付勢部材５を備える。一対のクリップ本体１ａ・１ｂは、電線Ｗを挟持自在な挟持部１１と把持部１２を有する。連結部材２は、挟持部１１・１１の基端部側を回動自在に連結している。捩じりコイルばね３は、一対の挟持部１１・１１の先端部側を閉じることができる。ボールキャスター４は、ボール４ｂの一部が挟持面１１ｆから突出した状態で、挟持部１１の内部に遊動自在に保持している。付勢部材５は、ボールキャスター４に付勢している。一方の挟持部１１に配置されたボール４ｂ群と、他方の挟持部１１に配置されたボール４ｂ群は、電線Ｗを外周方向から挟持自在に、行方向Ｌに交互に配置している。【選択図】図２
2018098883.tif 000002
【特許請求の範囲】
【請求項１】
開閉自在に連結した一対の固定アーム及び可動アームを先端部に有する絶縁操作棒を用いて操作できると共に、電線を挟持自在な間接活線工事用クリップであって、
電線外周方向から挟持自在な挟持部、及び、この挟持部から連続し、一対の前記固定アーム及び前記可動アームで把持自在な把持部を有する一対の帯板状のクリップ本体と、
一対の前記挟持部の先端部側を開閉自在に、前記挟持部の基端部側を回動自在に連結した連結部材と、
前記連結部材を外装し、一対の前記挟持部の先端部側が閉じる方向に力を付勢する捩じりコイルばねと、
ボールを回転自在に保持し、前記ボールの球面の一部が前記挟持部の挟持面から突出した状態で、前記挟持部の内部に遊動自在に保持した複数の円筒状のボールキャスターと、
前記ボールが前記挟持部の挟持面に向かう力を前記ボールキャスターに付勢する付勢部材と、を備え、
複数の前記ボールキャスターは、前記挟持部が延出する行方向と前記挟持部が延出する方向と直交する列方向とに縦横に配列され、
一方の前記挟持部に配置され、前記列方向に配列されたボール群と、他方の前記挟持部に配置され、前記列方向に配列されたボール群は、電線を外周方向から挟持自在に、前記行方向に交互に配置している、間接活線工事用クリップ。
【請求項２】
前記ボールは、絶縁性を有する合成樹脂からなる、請求項１記載の間接活線工事用クリップ。
【請求項３】
前記付勢部材は、圧縮コイルばねからなる、請求項１又は２記載の間接活線工事用クリップ。
【請求項４】
前記ボールキャスターは、
前記ボールの球面の一部が突出した状態で、前記ボールを回転自在に保持する円筒状のリテーナーと、
前記リテーナーを保持する筒形ケースと、を有している、請求項１から３のいずれかに記載の間接活線工事用クリップ。
【請求項５】
前記リテーナーは、前記ボールを転動自在に支持する複数の小球体を底部に配列している、請求項４記載の間接活線工事用クリップ。
【発明の詳細な説明】
【技術分野】
【０００１】
本発明は、間接活線工事用クリップに関する。特に、絶縁操作棒などを用いて、無停電状態の高圧配電線を間接的に活線工事できる間接活線工事用クリップであって、クリップが延びる方向に対して、高圧配電線と略直交する方向から高圧配電線を確実に挟持できる間接活線工事用クリップの構造に関する。
【背景技術】
【０００２】
間接活線工事用クリップは、絶縁操作棒などの間接活線工具で操作され、例えば、充電中の高圧配電線に被せた絶縁シートが間接活線工事中に高圧配電線から離脱しないように、把持できる。そして、間接活線工事用クリップは、絶縁シートを高圧配電線に仮固定することができる。
【０００３】
一般に、絶縁操作棒は、長尺の操作棒とこの操作棒の先端部に取り付けた配電作業用工具（以下、先端工具という）で構成している。そして、絶縁操作棒は、高圧配電線を把持、又は切断するなど、用途に対応して、先端工具を交換できるように構成している。
【０００４】
このような間接活線工事用クリップとしては、電線を挟持可能な一対の開閉部材の挟持部に、電線を弾性的に挟持する弾性部材を配置することにより、電線を確実に挟持できる間接活線工事用クリップが開示されている（例えば、特許文献１参照）。
【０００５】
又、このような間接活線工事用クリップとしては、電線を円滑に取り付け、又は、取り外すことができる間接活線工事用クリップが開示されている（例えば、特許文献２参照）。
【先行技術文献】
【特許文献】
【０００６】
【特許文献１】特開２０１４−７９１０５号公報
【特許文献２】特開２０１４−１２１１５４号公報
【発明の概要】
【発明が解決しようとする課題】
【０００７】
図１１は、第１の従来例による間接活線工事用クリップの構成を示す斜視図である。図１２は、第１の従来例による間接活線工事用クリップを間接活線工具で把持した状態を示す正面図である。なお、本願の図１１は、特許文献１の図１に相当し、本願の図１２は、特許文献１の図６に相当している。
【０００８】
図１１又は図１２を参照すると、第１の従来例による間接活線工事用クリップ（以下、クリップと略称する）６０は、一対の帯板状の開閉部材６１・６２、連結部材６３、及び、捩じりコイルばね６４を備えている。一対の開閉部材６１・６２は、絶縁性を有する硬質の合成樹脂からなり、長尺の帯板状に成形している。一対の開閉部材６１・６２は、電線Ｗを挟持自在な挟持部６１ａ・６２ａと、絶縁操作棒８０（図１２参照）によって把持される把持部６１ｂ・６２ｂに区分している。
【０００９】
図１１又は図１２を参照すると、連結部材６３は、実体として、一対の開閉部材６１・６２の幅方向に挿通された連結ピンである。そして、この連結ピンが一対の開閉部材６１・６２から離脱しないように、連結部の周囲をゴムからなる環状のバンド部材６５で覆っている（図１１参照）。このように、連結部材６３は、一対の挟持部６１ａ・６２ａの先端部を開閉自在に、一対の挟持部６１ａ・６２ａの基端部側を連結している。
【００１０】
図１１又は図１２を参照すると、捩じりコイルばね６４は、連結部材６３及び一対の把持部６１ｂ・６２ｂに内装されている。捩じりコイルばね６４は、一対の挟持部６１ａ・６２ａの先端部が閉じる方向に力を付勢している。そして、捩じりコイルばね６４の付勢力に抗して、一対の把持部６１ｂ・６２ｂを互いに近づけると、挟持部６１ａ・６２ａの先端部を開くことができる。一方、一対の把持部６１ｂ・６２ｂを解放すると、捩じりコイルばね６４に付勢されて、一対の挟持部６１ａ・６２ａの先端部を閉じることができる（図１２参照）。
【００１１】
図１１を参照すると、一対の挟持部６１ａ・６２ａは、先端部と基端部の間の領域に亘り、内壁から外壁に向かって窪んだ切り欠き部６１ｃ・６２ｃを有している。これらの切り欠き部６１ｃ・６２ｃには、帯板状の弾性部材となるゴム板６６・６６を取り付けている。そして、一対の挟持部６１ａ・６２ａで電線Ｗを挟持すると、一対のゴム板６６・６６が弾圧して、電線Ｗとの滑りを防止できる。ゴム板６６は、開閉部材６１・６２より硬度が低いことが好ましい。
【００１２】
図１１又は図１２を参照すると、ゴム板６６は、先端部側から基端部側に向かって、その板厚が漸次減少するように形成している。そして、図１２に示すように、一対のゴム板６６・６６の対向面は、基端部側に向かって間隙が拡がっている。これにより、比較的直径の大きい電線Ｗを一対の挟持部６１ａ・６２ａの基端部側で挟んだ場合であっても、一対の挟持部６１ａ・６２ａの先端部を閉じることができ、電線Ｗを確実に把持できる。
【００１３】
図１１を参照すると、ゴム板６６は、波状に凹部と凸部が規則的に繰り返すプロファイル加工を電線Ｗの挟持面６６ａに施している。これにより、直径の細い電線Ｗであっても確実に把持できる。又、不規則に屈曲した電線Ｗであっても確実に把持できる。なお、一方のゴム板６６に設けたプロファイル加工の凹部と、他方のゴム板６６に設けたプロファイル加工の凸部は、略嵌合するように配置されていることが好ましい。
【００１４】
図１２を参照すると、間接活線工具となる絶縁操作棒８０（いわゆる、絶縁ヤットコ）は、長尺の操作棒８１と補助棒８２を備えている。補助棒８２は、操作棒８１に併設している。操作棒８１の先端部には、円弧状の固定アーム８１ａを取り付けている。固定アーム８１ａには、円弧状の可動アーム８２ａを回動自在に連結している。
【００１５】
図１２を参照すると、可動アーム８２ａには、補助棒８２の先端部が連結している。操作棒８１の手許部に設けた操作レバー（図示せず）を操作すると、操作棒８１に対して、補助棒８２を進退できる。補助棒８２を一方の方向に移動すると、固定アーム８１ａの先端爪８１１に対して、可動アーム８２ａの先端爪８２１を開くことができる。補助棒８２を他方の方向に移動すると、固定アーム８１ａの先端爪８１１に対して、可動アーム８２ａの先端爪８２１を閉じることができる。
【００１６】
図１２を参照して、クリップ６０を絶縁操作棒８０に取り付ける場合は、固定アーム８１ａの先端爪８１１に対して、可動アーム８２ａの先端爪８２１を閉じて、一対の把持部８１ｂ・８２ｂを外側から挟むことができる。一対の挟持部６１ａ・６２ａを閉じた状態では、クリップ６０は、綾目状の滑り止め加工６１ｒ・６２ｒ（図１１参照）を表面に施した一対の把持部６１ｂ・６２ｂの外面が略平行に形成されているので、あらゆる方向から絶縁操作棒８０でクリップ６０を把持できる。
【００１７】
図１３は、第２の従来例による間接活線工事用クリップの構成を示す斜視図である。図１４は、第２の従来例による間接活線工事用クリップを間接活線工具で把持した状態を示す正面図である。なお、本願の図１３は、特許文献２の図１に相当し、本願の図１４は、特許文献２の図９に相当している。
【００１８】
図１３又は図１４を参照すると、第２の従来例による間接活線工事用クリップ（以下、クリップと略称する）７０は、一対の帯板状のクリップ片７２・７２と一対一組の磁石７４・７４を備えている。又、クリップ７０は、複数の円柱状のローラ７６と圧縮コイルばね７８を備えている。
【００１９】
図１３又は図１４を参照すると、クリップ片７２は、平面部７２ａと一対の斜面部７２ｂ・７２ｂを有している。平面部７２ａは、クリップ片７２の長手方向に延びている。一対の斜面部７２ｂ・７２ｂは、平面部１２ａの長手方向の両端部に形成している。又、クリップ片７２は、ゴムからなるキャップ部材７９で両端部を被覆している。
【００２０】
図１３又は図１４を参照すると、磁石７４は、平面部７２ａと斜面部７２ｂの境界に埋設されている。一対の磁石７４・７４は、一方の斜面部７２ｂ・７２ｂに対向配置されている。又、一対の磁石７４・７４は、他方の斜面部７２ｂ・７２ｂに対向配置されている。対向する一対の磁石７４・７４は、互いに吸磁できる。そして、一対のクリップ片７２・７２の平面部７２ａ同士を密着するように連結できる。又、図１４に示すように、一方の一対の磁石７４・７４が互いに吸磁した状態で、他方の一対の磁石７４・７４を互いに離間することもできる。
【００２１】
図１３又は図１４を参照すると、複数のローラ７６は、平面部７２ａに沿って配置されている。又、ローラ７６は、その外周の一部が平面部７２ａから突出するように配置されている。圧縮コイルばね７８は、ローラ７６の外周の一部が平面部７２ａから突出する力を付勢している。
【００２２】
図１４を参照して、一方の一対の磁石７４・７４が互いに吸磁した状態で、一方の一対のキャップ部材７９・７９を固定アーム８１ａ及び可動アーム８２ａで把持すると、他方の一対のキャップ部材７９・７９を開くことができる。そして、電線Ｗをその外周方向から一対のクリップ片７２・７２の間に導入できる。この場合、電線Ｗは、ローラ７６に転動されながら、所定の位置まで導入できる。
【００２３】
図１４を参照すると、電線Ｗは、四つのローラ７６で挟持されている。図１４に示した状態から、一方の一対のキャップ部材７９・７９を固定アーム８１ａ及び可動アーム８２ａから解放すると、他方の一対の磁石７４・７４を互いに吸磁できる。そして、電線Ｗは、四つのローラ７６で押圧された状態で、一対一組の磁石７４・７４の吸磁力で確実に挟持できる。
【００２４】
特許文献１によるクリップ６０は、波状に凹部と凸部が規則的に繰り返すプロファイル加工を電線Ｗの挟持面６６ａに施したゴム板６６を一対の挟持部６１ａ・６２ａに取り付けているので、電線Ｗを確実に挟持できる。
【００２５】
しかし、特許文献１によるクリップ６０は、波状の凸部がゴム板６６の挟持面６６ａから突出しているので、電線Ｗを挟持面６６ａの奥部まで誘導することが容易でない、という問題がある。又、特許文献１によるクリップ６０は、一対の開閉部材６１・６２が延びる方向に対して、電線Ｗを斜めに把持することが容易であるという、問題がある。
【００２６】
特許文献２によるクリップ７０は、転動自在な複数のローラ７６をクリップ片７２の平面部７２ａに配置しているので、一対のクリップ片７２・７２の間に電線Ｗを容易に誘導できる。
【００２７】
しかし、特許文献２によるクリップ７０は、一対のクリップ片７２・７２が延びる方向に対して、電線Ｗを斜めに把持することもできる。この場合、四つのローラ７６で電線Ｗの中心部に向かって把持する力を付勢することが容易でなく、電線Ｗを確実に挟持できないという心配がある。
【００２８】
電線を内部に容易に誘導でき、かつ、クリップが延びる方向に対して、電線を略直交する方向に確実に挟持できる間接活線工事用クリップが求められている。そして、以上のことが本発明の課題といってよい。
【００２９】
本発明は、このような課題に鑑みてなされたものであり、一対のクリップの挟持面にボールが出没するボールキャスターを縦横に配置することで、電線を容易に誘導する間接活線工事用クリップを提供することを目的とする。
【課題を解決するための手段】
【００３０】
本発明者は、ボールの球面の一部が挟持部の挟持面から突出した状態で、挟持部の内部に遊動自在に保持された複数のボールキャスターを備えることで、一対の挟持部の間に電線を容易に誘導できると考え、これに基づいて、以下のような新たな間接活線工事用クリップを発明するに至った。
【００３１】
（１）本発明による間接活線工事用クリップは、開閉自在に連結した一対の固定アーム及び可動アームを先端部に有する絶縁操作棒を用いて操作できると共に、電線を挟持自在な間接活線工事用クリップであって、電線外周方向から挟持自在な挟持部、及び、この挟持部から連続し、一対の前記固定アーム及び前記可動アームで把持自在な把持部を有する一対の帯板状のクリップ本体と、一対の前記挟持部の先端部側を開閉自在に、前記挟持部の基端部側を回動自在に連結した連結部材と、前記連結部材を外装し、一対の前記挟持部の先端部側が閉じる方向に力を付勢する捩じりコイルばねと、ボールを回転自在に保持し、前記ボールの球面の一部が前記挟持部の挟持面から突出した状態で、前記挟持部の内部に遊動自在に保持した複数の円筒状のボールキャスターと、前記ボールが前記挟持部の挟持面に向かう力を前記ボールキャスターに付勢する付勢部材と、を備え、複数の前記ボールキャスターは、前記挟持部が延出する行方向と前記挟持部が延出する方向と直交する列方向とに縦横に配列され、一方の前記挟持部に配置され、前記列方向に配列されたボール群と、他方の前記挟持部に配置され、前記列方向に配列されたボール群は、電線を外周方向から挟持自在に、前記行方向に交互に配置している。
【００３２】
（２）前記ボールは、絶縁性を有する合成樹脂からなることが好ましい。
【００３３】
（３）前記付勢部材は、圧縮コイルばねからなることが好ましい。
【００３４】
（４）前記ボールキャスターは、前記ボールの球面の一部が突出した状態で、前記ボールを回転自在に保持する円筒状のリテーナーと、前記リテーナーを保持する筒形ケースと、を有していることが好ましい。
【００３５】
（５）前記リテーナーは、前記ボールを転動自在に支持する複数の小球体を底部に配列していることが好ましい。
【発明の効果】
【００３６】
本発明による間接活線工事用クリップは、ボールの球面の一部が挟持部の挟持面から突出した状態で、挟持部の内部に遊動自在に保持された複数のボールキャスターを備えているので、一対の挟持部の間に電線を容易に誘導できる。
【００３７】
又、本発明による間接活線工事用クリップは、対向配置されたボール群を行方向に交互に配置しているので、クリップが延びる方向に対して、電線を略直交する方向から確実に挟持できる。
【図面の簡単な説明】
【００３８】
【図１】本発明の一実施形態による間接活線工事用クリップの構成を示す斜視図である。
【図２】前記実施形態による間接活線工事用クリップの構成を示す斜視分解組立図である。
【図３】前記実施形態による間接活線工事用クリップの構成を示す正面図である。
【図４】前記実施形態による間接活線工事用クリップの構成を示す平面図である。
【図５】前記実施形態による間接活線工事用クリップの構成を示す正面図であり、連結部を覆うバンド部材を縦断面で示している。
【図６】前記実施形態による間接活線工事用クリップの構成を示す平面図であり、連結部を覆うバンド部材を横断面で示している。
【図７】図３のＡ−Ａ矢視を拡大した平面図である。
【図８】図７のＡ−Ａ矢視断面図である。
【図９】図７のＢ−Ｂ矢視断面図である。
【図１０】前記実施形態による間接活線工事用クリップを絶縁操作棒で把持した状態を示す正面図である。
【図１１】第１の従来例による間接活線工事用クリップの構成を示す斜視図である。
【図１２】第１の従来例による間接活線工事用クリップを間接活線工具で把持した状態を示す正面図である。
【図１３】第２の従来例による間接活線工事用クリップの構成を示す斜視図である。
【図１４】第２の従来例による間接活線工事用クリップを間接活線工具で把持した状態を示す正面図である。
【発明を実施するための形態】
【００３９】
以下、図面を参照して本発明を実施するための形態を説明する。
［間接活線工事用クリップの構成］
最初に、本発明の一実施形態による間接活線工事用クリップの構成を説明する。
【００４０】
図１は、本発明の一実施形態による間接活線工事用クリップの構成を示す斜視図である。図２は、前記実施形態による間接活線工事用クリップの構成を示す斜視分解組立図である。
【００４１】
図３は、前記実施形態による間接活線工事用クリップの構成を示す正面図である。図４は、前記実施形態による間接活線工事用クリップの構成を示す平面図である。
【００４２】
図５は、前記実施形態による間接活線工事用クリップの構成を示す正面図であり、連結部を覆うバンド部材を縦断面で示している。図６は、前記実施形態による間接活線工事用クリップの構成を示す平面図であり、連結部を覆うバンド部材を横断面で示している。
【００４３】
図７は、図３のＡ−Ａ矢視を拡大した平面図である。図８は、図７のＡ−Ａ矢視断面図である。図９は、図７のＢ−Ｂ矢視断面図である。
【００４４】
図１０は、前記実施形態による間接活線工事用クリップを絶縁操作棒で把持した状態を示す正面図である。
【００４５】
なお、従来技術で使用した符号と同じ符号を有する構成品は、その作用を同じとするので、以下説明を省略することがある。
【００４６】
（全体構成）
次に、本発明の一実施形態による間接活線工事用クリップの全体構成を説明する。図１から図１０を参照すると、本発明の一実施形態による間接活線工事用クリップ（以下、クリップと略称する）１０は、一対の帯板状のクリップ本体１ａ・１ｂ、連結部材２、及び、捩じりコイルばね３を備えている。又、クリップ１０は、複数の円筒状のボールキャスター４と圧縮コイルばねからなる付勢部材５を備えている。
【００４７】
図１から図６を参照すると、一対のクリップ本体１ａ・１ｂは、挟持部１１と把持部１２を有している。一対の挟持部１１・１１は、電線Ｗを外周方向から挟持できる（図１又は図５及び図１０参照）。把持部１２は、挟持部１１から連続している。又、一対の把持部１２・１２は、固定アーム８１ａ及び可動アーム８２ａで把持できる（図１０参照）。
【００４８】
図２又は図５及び図６を参照すると、連結部材２は、一対の挟持部１１・１１の基端部側を回動自在に連結している。そして、一対の把持部１２・１２を操作すると、一対の挟持部１１・１１の先端部側を開閉できる。
【００４９】
図２又は図５及び図６を参照すると、連結部材６３は、実体として、一対のクリップ本体１ａ・１ｂの連結部１３の幅方向に挿通された連結ピンである。そして、この連結ピンが一対のクリップ本体１ａ・１ｂから離脱しないように、連結部１３の周囲をゴムからなる環状のバンド部材２ｂで覆っている（図１又は図３及び図４参照）。
【００５０】
図２又は図５を参照すると、捩じりコイルばね３は、連結部材２を外装している。そして、捩じりコイルばね３は、一対の挟持部１１・１１の先端部側が閉じる方向に力を付勢している。
【００５１】
図２又は図８及び図９を参照すると、ボールキャスター４は、ボール４ｂを回転自在に保持している。そして、ボールキャスター４は、ボール４ｂの球面の一部が挟持部１１の挟持面１１ｆから突出した状態で、挟持部１１の内部に遊動自在に保持されている（図９参照）。
【００５２】
図２又は図８及び図９を参照すると、付勢部材５は、挟持部１１の内部に収容されている。付勢部材５は、挟持部１１の挟持面１１ｆに向かう力をボールキャスター４に付勢している。付勢部材５は、圧縮コイルばねからなることが好ましい。付勢部材５は、円筒部材の外周に螺旋状のスリットを設けたヘリカルスプリングを使用でき、円柱状のゴム体を使用することもできる。
【００５３】
図１から図１０を参照すると、複数のボールキャスター４は、挟持部１１が延出する行方向Ｌと挟持部１１が延出する方向と直交する列方向Ｃとに縦横に配列されている。そして、一方の挟持部１１に配置され、列方向Ｃに配列されたボール４ｂ群と、他方の挟持部１１に配置され、列方向Ｃに配列されたボール４ｂ群は、電線Ｗを外周方向から挟持自在に、行方向Ｌに交互に配置している。
【００５４】
図１又は図５及び図１０を参照すると、実施形態によるクリップ１０は、ボール４ｂの球面の一部が挟持部１１の挟持面１１ｆから突出した状態で、挟持部１１の内部に遊動自在に保持された複数のボールキャスター４を備えているので、一対の挟持部１１・１１の間に電線Ｗを容易に誘導できる。
【００５５】
又、図１から図１０を参照すると、実施形態によるクリップ１０は、対向配置されたボール４ｂ群を行方向Ｌに交互に配置しているので、クリップ１０が延びる方向に対して、電線Ｗを略直交する方向に確実に挟持できる。
【００５６】
（クリップ本体の構成）
次に、実施形態によるクリップ本体１ａ・１ｂの構成を説明する。図１から図１０を参照すると、一対のクリップ本体１ａ・１ｂは、絶縁性を有する硬質の合成樹脂からなることが好ましく、この合成樹脂を成形して、長尺の帯板状のクリップ本体１ａ・１ｂを得ることができる（図２参照）。
【００５７】
図２又は図８及び図９を参照すると、挟持部１１には、挟持面１１ｆ及び挟持面１１ｆと反対面に開口した収容室１ｈを設けている。収容室１ｈには、ボールキャスター４及び付勢部材５を収容できる。
【００５８】
図８又は図９を参照すると、ボールキャスター４の底部側には、付勢部材５を配置している。挟持面１１ｆと反対面の収容室１ｈの開口を蓋体４ｄで封鎖することで、ボール４ｂを挟持面１１ｆから出没自在に配置できる。蓋体４ｄは、絶縁性を有する合成樹脂からなることが好ましい。
【００５９】
図１又は図２及び図４又は図６を参照すると、一対の把持部１２・１２は、綾目状の滑り止め加工１２ｒを外面に施している。これにより、図１０を参照すると、一対の固定アーム８１ａ及び可動アーム８２ａで一対の把持部１２・１２を外側から確実に挟むことができる。
【００６０】
（ボールキャスターの構成）
次に、実施形態によるボールキャスター４の構成を説明する。図９を参照すると、ボールキャスター４は、ボール４ｂ、円筒状のリテーナー４ａ、及び、筒形ケース４ｃを備えている。ボール４ｂは、絶縁性を有する合成樹脂からなることが好ましい。
【００６１】
図９を参照すると、リテーナー４ａは、ボール４ｂの球面の一部が突出した状態で、ボール４ｂを回転自在に保持している。リテーナー４ａからボール４ｂが脱落しないように、ボール４ｂを収容後にリテーナー４ａの入口を絞り加工しておくことが好ましい。筒形ケース４ｃは、リテーナー４ａを保持している。
【００６２】
図９を参照すると、ボールキャスター４は、複数の小球体４１ｂを更に備えている。これらの小球体４１ｂは、リテーナー４ａの底部に配列されている。そして、これらの小球体４１ｂは、ボール４ｂを転動自在に支持している。ボールキャスター４は、市販品を使用することもできる。
【００６３】
（間接活線工事用クリップの作用）
次に、実施形態によるクリップ１０の操作方法を説明しながら、クリップ１０の作用及び効果を説明する。
【００６４】
図１０を参照して、クリップ１０を絶縁操作棒８０に取り付ける場合は、固定アーム８１ａの先端爪８１１に対して、可動アーム８２ａの先端爪８２１を閉じて、一対の把持部１２・１２を外側から挟むことができる。一対の挟持部１１・１１を閉じた状態では、クリップ１０は、綾目状の滑り止め加工１２ｒ・１２ｒ（図１又は図４参照）を表面に施した一対の把持部１２・１２の外面が略平行に形成されているので、絶縁操作棒８０であらゆる方向からクリップ１０を把持できる。
【００６５】
図１０を参照して、固定アーム８１ａの先端爪８１１に対して、可動アーム８２ａの先端爪８２１を閉じると、一対の挟持部１１・１１を開くことができる。そして、一対の挟持部１１・１１が開いた状態を維持しながら、電線Ｗに向かってクリップ１０を移動し、操作棒８１の手許部に設けた操作レバー（図示せず）を操作し、一対の挟持部１１・１を閉じることで、電線Ｗを挟持できる。
【００６６】
図１から図１０を参照すると、実施形態によるクリップ１０は、ボール４ｂの球面の一部が挟持部１１の挟持面１１ｆから突出した状態で、挟持部１１の内部に遊動自在に保持された複数のボールキャスター４を備えているので、一対の挟持部１１・１１の間に電線Ｗを容易に誘導できる。
【００６７】
又、図１から図１０を参照すると、実施形態によるクリップ１０は、対向配置されたボール４ｂ群を行方向Ｌに交互に配置しているので、クリップ１０が延びる方向に対して、電線Ｗを略直交する方向に確実に挟持できる。
【００６８】
図５を参照して、一対の挟持部１１・１１の間に電線Ｗを挟持した状態から、クリップ１０を列方向Ｃに強制的に移動することで、切断された電線Ｗからクリップ１０を引き抜くこともできる。
【００６９】
本発明による間接活線工事用クリップは、次のような効果が期待できる。
（１）一対のクリップ本体の間に電線を容易に誘導できる。
（２）クリップが延びる方向に対して、電線を略直交する方向に確実に挟持できる。
（３）クリップを列方向に移動することで、切断された電線からクリップを引き抜くことができる。
【００７０】
本発明は、絶縁操作棒などを用いて、無停電状態の高圧配電線を間接的に活線工事できる間接活線工事用クリップを開示したが、本発明のクリップは、間接活線工事用に限定されることなく、他の分野でも応用されることが期待される。
【符号の説明】
【００７１】
１ａ・１ｂ  一対のクリップ本体
２  連結部材
３  捩じりコイルばね
４  ボールキャスター
４ｂ  ボール
５  付勢部材
１０  クリップ（間接活線工事用クリップ）
１１  挟持部
１２  把持部
８０  絶縁操作棒
８１ａ  固定アーム
８２ａ  可動アーム
Ｃ  列方向
Ｌ  行方向
Ｗ  電線
【図１】
2018098883.tif 000003
【図２】
2018098883.tif 000004
【図３】
2018098883.tif 000005
【図４】
2018098883.tif 000006
【図５】
2018098883.tif 000007
【図６】
2018098883.tif 000008
【図７】
2018098883.tif 000009
【図８】
2018098883.tif 000010
【図９】
2018098883.tif 000011
【図１０】
2018098883.tif 000012
【図１１】
2018098883.tif 000013
【図１２】
2018098883.tif 000014
【図１３】
2018098883.tif 000015
【図１４】
2018098883.tif 000016